(57)【要約】【課題】ＳＲＶＣＣ機能を有していない場合でも、通話途中で音声通話が切断されることがない携帯電子装置を提供する。【解決手段】携帯電子装置１００は、ＶｏＩＰ方式の音声通話のエリアの外を示す圏外位置情報を記憶しているセル情報記憶部１１０、当該装置の現在位置情報を取得する位置情報取得部１０２、受け付けた音声通話の発呼指示による音声通話において、圏外位置情報と現在位置情報とを用いて、当該装置がエリア外に移動するか否かを判断する通話選択判断部１３１、エリア外に移動する場合、回線交換方式の音声通話を選択し、エリア外に移動しない場合、ＶｏＩＰ方式の音声通話を選択する通話選択部１３２、選択された方式による音声通話を行うＬＴＥ通信処理部１３３、ＣＳ通信処理部１３４を備える。【選択図】図２
2015104083.tif 000002
【特許請求の範囲】
【請求項１】
無線基地局を介して他の端末装置と音声通話を行う携帯電子装置であって、
ＶｏＩＰ方式による音声通話がサポートされるエリアの外の位置を示す圏外位置情報を記憶している記憶部と、
当該装置の現在位置を示す現在位置情報を取得する現在位置取得部と、
利用者から入力を受け付ける入力部と、
利用者から音声通話の発呼指示の前記入力を受け取ったとき、前記圏外位置情報と前記現在位置情報とを用いて、当該発呼指示による音声通話において当該装置が前記エリアの外に移動するか否かを判断する通話選択判断部と、
前記エリアの外に移動すると判断される場合に、回線交換方式による音声通話を選択し、前記エリアの外に移動しないと判断される場合に、ＶｏＩＰ方式による音声通話を選択する通話選択部と、
選択された方式による音声通話を行う通信部と
を備えることを特徴とする携帯電子装置。
【請求項２】
前記携帯電子装置は、さらに、
当該装置が移動しているか否かを判断する移動判断部を含み、
前記通話選択判断部は、移動していないと判断される場合、前記現在位置情報により示される現在位置が、前記圏外位置情報により示される位置の近傍にあるか否かを判断し、
前記通話選択部は、現在位置が、前記圏外位置情報により示される位置の近傍にあると判断される場合に、回線交換方式による音声通話を選択する
ことを特徴とする請求項１に記載の携帯電子装置。
【請求項３】
前記移動判断部により、移動していると判断される場合、前記通話選択判断部は、当該装置の移動方向、一定距離以内に、前記圏外位置情報により示される位置が存在するか否かを判断し、
前記通話選択部は、当該装置の移動方向、一定距離以内に、前記圏外位置情報により示される位置が存在すると判断される場合に、回線交換方式による音声通話を選択し、当該装置の移動方向、一定距離以内に、前記圏外位置情報により示される位置が存在しないと判断される場合に、ＶｏＩＰ方式による音声通話を選択する
ことを特徴とする請求項２に記載の携帯電子装置。
【請求項４】
前記通信部は、さらに、ＶｏＩＰ方式に対応する無線基地局から、当該無線基地局による電波の送受信の範囲を示すセルの周囲に配置された周辺セルの変更を示す変更情報を受信し、
前記携帯電子装置は、さらに、
前記変更情報を受信した場合、前記記憶部に記憶され、前記無線基地局の前記セルに係る前記圏外位置情報を消去する消去部を含む
ことを特徴とする請求項１に記載の携帯電子装置。
【請求項５】
前記通信部は、前記エリアの外に移動しないと判断される場合に、ＬＴＥの通信網を用いて、ＶｏＩＰ方式による音声通話を行う
ことを特徴とする請求項１に記載の携帯電子装置。
【請求項６】
無線基地局を介して他の端末装置と音声通話を行い、ＶｏＩＰ方式による音声通話がサポートされるエリアの外の位置を示す圏外位置情報を記憶している携帯電子装置を制御する制御方法であって、
前記携帯電子装置の現在位置を示す現在位置情報を取得する現在位置取得ステップと、
利用者から入力を受け付ける入力ステップと、
利用者から音声通話の発呼指示の前記入力を受け取ったとき、前記圏外位置情報と前記現在位置情報とを用いて、当該発呼指示による音声通話において前記携帯電子装置が前記エリアの外に移動するか否かを判断する通話選択判断ステップと、
前記エリアの外に移動すると判断される場合に、回線交換方式による音声通話を選択し、前記エリアの外に移動しないと判断される場合に、ＶｏＩＰ方式による音声通話を選択する通話選択ステップと、
選択された方式による音声通話を行う通信ステップと
を含むことを特徴とする制御方法。
【請求項７】
無線基地局を介して他の端末装置と音声通話を行い、ＶｏＩＰ方式による音声通話がサポートされるエリアの外の位置を示す圏外位置情報を記憶している携帯電子装置を制御する制御用のコンピュータプログラムを記憶しているコンピュータ読み取り可能な記録媒体であって、
コンピュータである前記携帯電子装置に、
前記携帯電子装置の現在位置を示す現在位置情報を取得する現在位置取得ステップと、
利用者から入力を受け付ける入力ステップと、
利用者から音声通話の発呼指示の前記入力を受け取ったとき、前記圏外位置情報と前記現在位置情報とを用いて、当該発呼指示による音声通話において前記携帯電子装置が前記エリアの外に移動するか否かを判断する通話選択判断ステップと、
前記エリアの外に移動すると判断される場合に、回線交換方式による音声通話を選択し、前記エリアの外に移動しないと判断される場合に、ＶｏＩＰ方式による音声通話を選択する通話選択ステップと、
選択された方式による音声通話を行う通信ステップと
を実行させるための前記コンピュータプログラムを記録している記録媒体。
【発明の詳細な説明】
【技術分野】
【０００１】
本発明は、無線基地局を介して、無線により音声通話を行う技術に関する。
【背景技術】
【０００２】
特許文献１には、移動体通信サービスを受けることができる無線通信エリア内で、移動局の移動に伴って無線通信セルを変更する技術が開示されている。この技術によると、無線基地局は、移動局からの受信レベルが低下したことを検知して移動局がその無線通信セルから出つつあることを知る。次に、無線基地統制局に対して他の無線基地局への切り替えを要求する。無線基地統制局は、移動局からの電波の受信レベルが最大となる周辺の無線基地局を選択し、この無線基地局の空き通話チャネルを選択する。次に、移動局に切り替え指示を発して、通話チャネルを変更する。
【０００３】
また、高速のデータ通信サービスを提供するＬＴＥ（Long Term Evolution）においても、ＬＴＥエリア内で、ＶｏＩＰ（Voice Over Internet Protocol）方式を用いて、音声通話を行っている途中で、携帯電子装置がＬＴＥエリアの外に移動した場合には、音声通話が切断される。この問題を解決するため、ＶｏＩＰ方式の音声通話と回線交換方式の音声通話を継続する技術であるＳＲＶＣＣ（Single Radio Voice Call Continuity）を用いることで、ＬＴＥエリアから３Ｇエリアへのハンドオーバにおいても途切れることなく、音声通話を継続できる。
【先行技術文献】
【特許文献】
【０００４】
【特許文献１】特開平６−８６３５３号公報
【特許文献２】特開２０１１−１６６５９９号公報
【特許文献３】特開２００１−１８９９７５号公報
【発明の概要】
【発明が解決しようとする課題】
【０００５】
上述したように、ＬＴＥエリアでＶｏＩＰ方式により発呼を行う際に、携帯電子装置がＬＴＥエリアの外へ移動すると、音声通話が切断されてしまう。この場合、無線基地局及び携帯電子装置の双方がＳＲＶＣＣ対応機能を有していれば、ＶｏＩＰ方式の音声通話から、３Ｇの回線交換方式の音声通話にハンドオーバすることができる。
しかし、ＳＲＶＣＣ対応機能を有していない携帯電子装置も存在する。このような携帯電子装置を用いると、音声通話中にＬＴＥエリア外に移動した場合、音声通話が切断されるという問題がある。
【０００６】
このような問題点を解決するため、本発明は、ＳＲＶＣＣ対応機能を有していない場合であっても、通話途中で、音声通話が切断されることがない携帯電子装置及び制御方法を提供することを目的とする。
【課題を解決するための手段】
【０００７】
上記目的を達成するために、本発明の一態様は、無線基地局を介して他の端末装置と音声通話を行う携帯電子装置であって、ＶｏＩＰ方式による音声通話がサポートされるエリアの外の位置を示す圏外位置情報を記憶している記憶部と、当該装置の現在位置を示す現在位置情報を取得する現在位置取得部と、利用者から入力を受け付ける入力部と、利用者から音声通話の発呼指示の前記入力を受け取ったとき、前記圏外位置情報と前記現在位置情報とを用いて、当該発呼指示による音声通話において当該装置が前記エリアの外に移動するか否かを判断する通話選択判断部と、前記エリアの外に移動すると判断される場合に、回線交換方式による音声通話を選択し、前記エリアの外に移動しないと判断される場合に、ＶｏＩＰ方式による音声通話を選択する通話選択部と、選択された方式による音声通話を行う通信部とを備えることを特徴とする。
【発明の効果】
【０００８】
この態様によると、ＳＲＶＣＣ対応機能を有していない携帯電子装置であっても、通話途中で、音声通話が切断されない。
【図面の簡単な説明】
【０００９】
【図１】一例として、ＬＴＥセル２１、２２、２３、２４、２５の配置、及び３Ｇセル３１、３２、３３、３４、３５、３６、３７の配置を示す。
【図２】携帯電子装置１００の構造を示すブロック図である。
【図３】セル関連情報１５１のデータ構造の一例を示す。
【図４】周辺セル情報１８１のデータ構造の一例を示す。
【図５】音声通話時の手順を示すフローチャートである。
【図６】切断時に切断位置情報を収集する手順を示すフローチャートである。
【図７】周辺セル情報の受信時の手順を示すフローチャートである。図８に続く。
【図８】周辺セル情報の受信時の手順を示すフローチャートである。図７から続く。
【発明を実施するための形態】
【００１０】
１．本発明の着想の基礎となった知見
データ通信と音声通信とでは、セルの配置設計の考え方が異なる。
音声通話を主として提供する音声通信では、どこででも発呼ができ、着信ができるようにするため、また、移動中に音声通話が途切れないようにするため、セルとセルの間において、それぞれの無線基地局からの電波が届かない地点ができないよう、エリア全体をセルで敷きつめるように、セルが配置される。
【００１１】
一方、高速なデータ通信においては、そのサービスが要求されるエリアは、限定的である。エリアを完全にセルで敷きつめることまでは、要求されない。
また、データ通信と音声通信とでは、特性が次のように異なる。
音声通信では、携帯電子装置がセルの外に移動すると、音声通話が途切れる。利用者は、音声通話が途切れたことがわかる。音声通話を継続するためには、利用者は、発呼しなおす必要があり、不便である。
【００１２】
一方、データ通信の場合には、携帯電子装置がセルから外に移動することにより、データ通信が途中で途切れたとしても、再度、携帯電子装置がセル内に入れば、自動的にデータ通信を継続するようにしておけばよい。
このように、データ通信と音声通信とでは、セルの配置設計の考え方やその特性が異なっている。
【００１３】
なお、音声通信の一例として回線交換方式、データ通信の一例としてＬＴＥ方式がある。
発明が解決しようとする課題に記載したように、ＳＲＶＣＣ対応機能を有していない携帯電子装置が、音声通話中にＬＴＥエリア外に移動した場合、音声通話が切断されるという課題がある。この課題は、データ通信においては、エリア全体をセルで敷き詰める必要性がないという考え方に起因する。
【００１４】
このようなデータ通信と音声通信のセルの配置設計の考え方やその特性の違いに起因する課題に着目して、本発明がなされた。
２．実施の形態
本発明に係る一の実施の形態としての携帯電子装置１００について説明する。
携帯電子装置１００は、図１に示すように、ＬＴＥの無線基地局２０１及びＬＴＥネットワークを介して、他の端末装置との間で、音声通話が可能となるように構成されている。また、携帯電子装置１００は、ＣＤＭＡの無線基地局及びＣＤＭＡネットワークを介して、他の端末装置との間で、音声通話が可能となるように構成されている。
【００１５】
携帯電子装置１００は、上述のＳＲＶＣＣ対応機能を有していない。
図１に、ＬＴＥによるデータ通信及び音声通話がサポートされるＬＴＥセル２１、２２、２３、２４、２５の配置、及び、ＣＤＭＡによる音声通話がサポートされる３Ｇセル３１、３２、３３、３４、３５、３６、３７の配置を示す。ＬＴＥセル２１、２２、２３、２４、２５のほぼ中央には、それぞれ、ＬＴＥの無線基地局２０１、２０２、２０３、２０４、２０５が配置されている。また、３Ｇセル３１、３２、３３、３４、３５、３６、３７のほぼ中央には、それぞれ、ＣＤＭＡの無線基地局が配置されている。
【００１６】
ＬＴＥセル２１、２２、２３、２４、２５内に存在する携帯電子装置１００は、ＶｏＬＴＥ方式による音声通話が可能である。携帯電子装置１００が、ＬＴＥセル２１、２２、２３、２４、２５の外に移動すると、ＶｏＬＴＥ方式による音声通話が切断される。
図１に、一例として、ＶｏＬＴＥ方式による音声通話が切断された位置４１、４２、４３を示す。
【００１７】
また、３Ｇセル３１、３２、３３、３４、３５、３６、３７内に存在する携帯電子装置１００は、回線交換方式による音声通話が可能である。
ここで、ＶｏＬＴＥは、高速化したデータ通信が可能なＬＴＥ方式において、音声通話をデータ通信（パケット通信）として提供する技術である。なお、ＶｏＩＰは、インターネットやイントラネットなどのＴＣＰ／ＩＰネットワークを使って音声データを送受信する技術である。ＶｏＬＴＥでは、ＶｏＩＰをＬＴＥのネットワーク上で実現する。
【００１８】
２．１  携帯電子装置１００の構成
携帯電子装置１００は、図２に示すように、位置情報記憶部１０１、位置情報取得部１０２、移動判断部１０３、速度算出部１０４、方向算出部１０５、通信制御部１０６、セル情報記憶部１１０、アンテナ１１１、第１通信回路１１２、アンテナ１１３、第２通信回路１１４、音声処理部１１５、マイク１１６、スピーカ１１７、主制御部１１８、入出力制御部１１９、表示部１２０及びボタン入力部１２１から構成されている。通信制御部１０６は、通話選択判断部１３１、通話選択部１３２、ＬＴＥ通信処理部１３３、ＣＳ通信処理部１３４、変更消去部１３５及び切断処理部１３６を含んでいる。
【００１９】
（１）位置情報記憶部１０１及びセル情報記憶部１１０
（位置情報記憶部１０１）
位置情報記憶部１０１は、一例として、不揮発性の半導体メモリから構成されている。位置情報記憶部１０１は、図２に示すように、一例として、６０個の位置情報１９１、１９２、・・・を記憶するための領域を備えている。なお、これには、限定されない。位置情報記憶部１０１は、６１個以上の位置情報を記憶するための領域を備えるとしてもよい。また、位置情報記憶部１０１は、２個以上、５９個以下の位置情報を記憶するための領域を備えるとしてもよい。
【００２０】
各位置情報は、測定時刻、経度情報及び緯度情報を含む。測定時刻は、当該経度情報及び当該緯度情報が取得された時刻を、年月日時分秒により示す。経度情報及び緯度情報は、それぞれ、対応する測定時刻において、携帯電子装置１００が存在する位置の経度及び緯度を示す。
（セル情報記憶部１１０）
セル情報記憶部１１０は、一例として、不揮発性の半導体メモリから構成されている。セル情報記憶部１１０は、図２に示すように、一例として、複数のセル関連情報１５１、１５２、・・・、１５３を記憶するための領域を備えている。
【００２１】
複数のセル関連情報１５１、１５２、・・・、１５３は、それぞれ、複数のＬＴＥセルに対応している。
セル関連情報１５１は、図３に示すように、一例として、基地局識別子１６１、セル識別子１６２、切断位置情報テーブル１６３及び周辺セル情報１７１を含む。
基地局識別子１６１は、ＬＴＥの無線基地局を識別する識別情報である。当該無線基地局は、セル関連情報１５１に対応するＬＴＥセル内に設置されている。
【００２２】
セル識別子１６２は、当該ＬＴＥセルを識別する識別情報である。
切断位置情報テーブル１６３は、複数の切断位置情報を記憶するための領域を備えている。各切断位置情報は、当該ＬＴＥセルにおいて、音声通話が切断された位置に対応している。各切断位置情報は、番号、切断日時、経度情報及び緯度情報を含む。
ここで、番号は、当該切断位置情報を識別するための識別情報である。切断日時は、切断が発生した年月日及び時分を示す。経度情報及び緯度情報は、それぞれ、切断が発生した時に、携帯電子装置１００が存在した位置を、経度及び緯度により示す。
【００２３】
周辺セル情報１７１は、１個の設定日時１７２及び複数の周辺セル識別子１７３、１７４、１７５、１７６を記憶するための領域を備えている。
設定日時１７２は、周辺セル情報１７１が設定された年月日及び時分を示す。各周辺セル識別子は、セル識別子１６２により識別されるＬＴＥセルの周囲に配置されているＬＴＥセルを識別するための識別情報である。
【００２４】
ここで、図３に示すように、セル関連情報１５１は、一例として、基地局識別子１６１「Ｂ００１」、セル識別子１６２「Ｃ００１」を含む。これは、「Ｃ００１」により識別されるＬＴＥセルには、「Ｂ００１」により識別されるＬＴＥの無線基地局が配置されていることを示す。
また、セル関連情報１５１は、一例として、切断位置情報テーブル１６３を含む。切断位置情報テーブル１６３は、一例として、切断位置情報１６４を含む。切断位置情報１６４は、一例として、番号１６５「１」、切断日時１６６「２０１３年１０月１５日１９時２０分」、経度情報１６７「東経１３５度１０分２０秒１２３４」及び緯度情報１６８「北緯４５度０５分１５秒２３４５」を含む。
【００２５】
切断位置情報１６４は、２０１３年１０月１５日１９時２０分に、東経１３５度１０分２０秒１２３４及び北緯４５度０５分１５秒２３４５により示される位置において、音声通話の切断が発生したことを示す。
周辺セル情報１７１は、一例として、設定日時１７２「２０１３年１０月１０日１９時２０分」、周辺セル識別子１７３「Ｃ００２」、周辺セル識別子１７４「Ｃ００３」、周辺セル識別子１７５「Ｃ００４」及び周辺セル識別子１７６「Ｃ００５」を含む。
【００２６】
周辺セル情報１７１は、２０１３年１０月１０日１９時２０分に設定され、セル識別子１６２「Ｃ００１」により識別されるＬＴＥセルの周囲には、周辺セル識別子「Ｃ００２」、「Ｃ００３」、「Ｃ００４」及び「Ｃ００５」により識別されるＬＴＥセルが配置されていることを示す。
（２）位置情報取得部１０２
位置情報取得部１０２は、複数のＧＰＳ（Global Positioning System ）衛星から受信した電波を用いて、所定の時間間隔毎に、携帯電子装置１００が存在する位置を示す経度情報及び緯度情報を算出する。一例として、１分毎に、経度情報及び緯度情報を算出する。次に、位置情報取得部１０２は、経度情報及び緯度情報を算出した測定時刻、算出された経度情報及び緯度情報から構成される位置情報を生成する。次に、生成した位置情報を位置情報記憶部１０１に書き込む。
【００２７】
また、位置情報取得部１０２は、位置情報を生成する都度、生成した位置情報を通話選択判断部１３１及び切断処理部１３６に対して出力する。
位置情報記憶部１０１は、６０個の位置情報を記憶するための領域を備えている。このため、位置情報記憶部１０１の全ての領域に既に、位置情報が記憶されている場合には、位置情報取得部１０２は、最も古い測定時刻を含む位置情報に、新たに生成した位置情報を上書きする。
【００２８】
（３）移動判断部１０３
移動判断部１０３は、所定の時間間隔毎に、一例として、１分毎に、携帯電子装置１００が移動しているか否かを、次に示すようにして、判断する。
移動判断部１０３は、速度算出部１０４から、携帯電子装置１００の現在の移動速度ｖを受け取る。次に、受け取った移動速度ｖが秒速０．４ｍ未満である場合に、携帯電子装置１００が移動していないと判断する。一方、算出した移動速度ｖが秒速０．４ｍ以上である場合に、携帯電子装置１００が移動していると判断する。ここで、秒速０．４ｍを閾値として、移動の判断をしているが、これには限定されない。閾値を秒速０．０ｍとしてもよし、閾値を秒速０．６ｍとしてもよい。
【００２９】
次に、移動判断部１０３は、携帯電子装置１００が移動しているか否かを示す移動情報を通話選択判断部１３１に対して出力する。
（４）速度算出部１０４
速度算出部１０４は、所定の時間間隔毎に、位置情報記憶部１０１に記憶されている全ての位置情報を用いて、次式により、携帯電子装置１００の移動速度ｖを算出する。一例として、１分毎に、携帯電子装置１００の移動速度ｖを算出する。なお、算出される移動速度ｖは、最新の位置情報を算出した時点におけるものである。
【００３０】
移動速度ｖ＝移動距離／所要時間
ここで、移動距離は、位置情報記憶部１０１に記憶されている位置情報のうち、最も古い測定時刻を含む位置情報が示す位置と、最も新しい測定時刻を含む位置情報が示す位置との間の距離である。また、所要時間は、最も古い測定時刻と、最も新しい測定時刻との差分時間である。
【００３１】
なお、速度算出部１０４は、現在時刻より、１時間以上前の測定時刻を含む位置情報を、移動速度ｖの算出から除外する。
次に、速度算出部１０４は、算出した移動速度ｖを移動判断部１０３及び通話選択判断部１３１に対して出力する。
（５）方向算出部１０５
方向算出部１０５は、所定の時間間隔毎に、一例として、１分毎に、次に示すようにして、ベクトルである移動方向Ｒを算出する。
【００３２】
移動方向Ｒ（Δｘ、Δｙ）＝（（ｘ１−ｘ２）、（ｙ１−ｙ２））
ここで、（ｘ１、ｙ１）は、位置情報記憶部１０１に記憶されている位置情報のうち、最も新しい測定時刻を含む位置情報の経度情報及び緯度情報である。また、（ｘ２、ｙ２）は、位置情報記憶部１０１に記憶されている位置情報のうち、最も古い測定時刻を含む位置情報の経度情報及び緯度情報である。
【００３３】
なお、方向算出部１０５は、現在時刻より、１時間以上前の測定時刻を含む位置情報を、移動方向Ｒの算出から除外する。
次に、方向算出部１０５は、算出した移動方向Ｒを通話選択判断部１３１に対して出力する。
（６）表示部１２０
表示部１２０は、タッチパッド部１２０ａ及び表示パネル部１２０ｂから構成されている。表示パネル部１２０ｂは、矩形の表示面を有し、表示面には、タッチパッド部１２０ａが取り付けられている。
【００３４】
表示パネル部１２０ｂは、一例として、液晶ディスプレイにより構成されている。表示パネル部１２０ｂは、アイコン等やその他のオブジェクトを含む画面を表示する。
タッチパッド部１２０ａは、表示部１２０の表示面に対する操作体の接触位置を検出し、検出した接触位置を入出力制御部１１９に対して出力する。
（７）ボタン入力部１２１
ボタン入力部１２１は、複数のボタンを備える。各ボタンは、携帯電子装置１００の側面又は上面に配置される。各ボタンは、それぞれ、一つの操作を受け付けるために、利用者に押下されることにより、操作される。
【００３５】
一つのボタンは、一例として、オプションのメニューを表示するために用いられるボタンである。また、別のボタンは、一例として、デスクトップを表示するために用いられるボタンである。さらに、別のボタンは、一例として、電源をＯＮ又はＯＦＦにするために用いられるボタンである。
各ボタンが操作されると、ボタン入力部１２１は、各ボタンに対する操作を示す操作信号を、入力信号として、入出力制御部１１９を介して、主制御部１１８に対して出力する。
【００３６】
（８）入出力制御部１１９
入出力制御部１１９は、表示部１２０と主制御部１１８との間で、情報の入出力を中継する。また、入出力制御部１１９は、ボタン入力部１２１から入力信号を受け取り、受け取った入力信号を主制御部１１８に対して出力する。
（９）主制御部１１８
主制御部１１８は、表示部１２０のタッチパッド部１２０ａ及びボタン入力部１２１から、入出力制御部１１９を介して、入力信号を受け取る。次に、受け取った入力信号に対応する処理を行う。
【００３７】
また、主制御部１１８は、入出力制御部１１９を介して、表示部１２０の表示パネル部１２０ｂに対して、１個又は複数個の画像を出力する。
さらに、主制御部１１８は、携帯電子装置１００を構成する各構成要素を制御する。
（１０）アンテナ１１１、第１通信回路１１２、アンテナ１１３及び第２通信回路１１４
アンテナ１１１は、電波により信号を送受信する。
【００３８】
第１通信回路１１２は、ＶｏＬＴＥ方式による音声信号を処理するための専用回路である。第１通信回路１１２は、アンテナ１１１により受信した信号の周波数選択や周波数変換等を行う。また、第１通信回路１１２は、ＬＴＥ通信処理部１３３から受け取った信号の周波数変換を行い、信号の電力のレベルを調整し、調整された信号をアンテナ１１１に対して出力する。
【００３９】
アンテナ１１３は、電波により信号を送受信する。
第２通信回路１１４は、回線交換方式による音声信号を処理するための専用回路である。第２通信回路１１４は、アンテナ１１３により受信した信号の周波数選択や周波数変換等を行う。また、第２通信回路１１４は、ＣＳ通信処理部１３４から受け取った信号の周波数変換を行い、信号の電力のレベルを調整し、調整された信号をアンテナ１１３に対して出力する。
【００４０】
（１１）音声処理部１１５、スピーカ１１７及びマイク１１６
音声処理部１１５は、ＬＴＥ通信処理部１３３又はＣＳ通信処理部１３４を介して、受信された音声信号を復調してスピーカ１１７に対して音響信号として出力する。また、マイク１１６より入力された音響信号に対応して電気信号に変換された音声信号を、ＬＴＥ通信処理部１３３又はＣＳ通信処理部１３４により送信させる。スピーカ１１７は、音声等の音響を出力する。マイク１１６は、音声等の音響を入力する。
【００４１】
（１２）通話選択判断部１３１
通話選択判断部１３１は、移動判断部１０３から、携帯電子装置１００が移動しているか否かを示す移動情報を受け取る。
受け取った移動情報が、携帯電子装置１００が移動していないことを示す場合、通話選択判断部１３１は、停止中の処理を行う。受け取った移動情報が、携帯電子装置１００が移動していることを示す場合、通話選択判断部１３１は、移動中の処理を行う。
【００４２】
（停止中の処理）
通話選択判断部１３１は、以下に示すようにして、携帯電子装置１００が存在する現在位置を示す位置情報が、切断頻発地の近傍を示すか否かを判断する。
通話選択判断部１３１は、位置情報取得部１０２から現在の位置情報を受け取る。次に、通話選択判断部１３１は、セル情報記憶部１１０に記憶されているセル関連情報のうち、受け取った位置情報により示される位置に近接する切断位置を含む切断位置情報を検索する。
【００４３】
ここで、近接するとは、一例として、携帯電子装置１００の現在位置と、切断位置情報テーブルに含まれる切断位置との距離が、閾値としての５ｍ以内であることを言う。なお、閾値は、５ｍには、限定されない。閾値は、６ｍ、４ｍ、３ｍなどであるとしてもよい。
携帯電子装置１００の現在位置との距離が閾値以内にある切断位置を示す切断位置情報が、いずれかのセル関連情報内の切断位置情報テーブルに含まれていれば、通話選択判断部１３１は、ＣＳ通信処理部１３４を選択するように、通話選択部１３２に対して指示する。
【００４４】
携帯電子装置１００の現在位置との距離が閾値以内にある切断位置を示す切断位置情報が、どのセル関連情報内の切断位置情報テーブルにも含まれていなければ、通話選択判断部１３１は、ＬＴＥ通信処理部１３３を選択するように、通話選択部１３２に対して指示する。
このように、携帯電子装置１００が移動していない場合において、携帯電子装置１００が存在する現在位置を示す位置情報が、切断頻発地の近傍を示すときに、ＣＳ通信処理部１３４を選択するので、通話途中で、音声通話が切断されないようにできる。
【００４５】
（移動中の処理）
通話選択判断部１３１は、以下に示すようにして、携帯電子装置１００の移動方向、一定距離以内に、切断頻発地が存在するか否かを判断する。
具体的には、通話選択判断部１３１は、位置情報取得部１０２から、現在位置を示す位置情報を受け取る。また、速度算出部１０４から移動速度ｖを受け取る。さらに、方向算出部１０５から移動方向Ｒを受け取る。
【００４６】
ここで、携帯電子装置１００は、現在位置から、移動速度ｖを維持しながら、移動方向Ｒに直線上を、５分間継続して移動するものとする。ここで、５分間移動するとしたのは、音声通話は、５分間以内に終了するであろうという推測による。高々５分間、音声通話が継続できればよいので、この時間内に、切断位置に到達しなければ、音声通話は、切断されない。ここで、５分間としているが、これには限定されない。３分間、１０分間、３０分間などとしてもよい。この時間を、携帯電子装置１００に記憶されている過去の使用履歴により推定してもよい。この使用履歴は、利用者の音声通話の時間を含む。
【００４７】
次に、通話選択判断部１３１は、受け取った位置情報により示される現在位置から受け取った移動方向Ｒに、直線上、受け取った移動速度ｖで、５分間、直線上を移動することにより、到達するであろう地点を算出する。次に、通話選択判断部１３１は、現在位置から到達地点までの直線状の軌跡が、切断位置情報テーブル内の切断位置から閾値内に存在するか否かを判断する。ここで、閾値は、一例として、５ｍである。なお、閾値は、５ｍには、限定されない。閾値は、６ｍ、４ｍ、３ｍなどであるとしてもよい。
【００４８】
求められた軌跡が、切断位置情報テーブル内のいずれかの切断位置から閾値内に存在する場合、通話選択判断部１３１は、ＣＳ通信処理部１３４を選択するように、通話選択部１３２に対して指示する。
求められた軌跡が、切断位置情報テーブル内の全ての切断位置から閾値内に存在しない場合、通話選択判断部１３１は、ＬＴＥ通信処理部１３３を選択するように、通話選択部１３２に対して指示する。
【００４９】
このように、携帯電子装置１００が移動している場合において、携帯電子装置１００の移動方向、一定距離以内に、切断頻発地が存在するときに、ＣＳ通信処理部１３４を選択するので、通話途中で、音声通話が切断されないようにできる。
（１３）通話選択部１３２
通話選択部１３２は、通話選択判断部１３１から通信処理部の選択の指示を受け取る。次に、指示に従って、通話選択部１３２は、ＬＴＥ通信処理部１３３及びＣＳ通信処理部１３４のいずれか一方を選択する。
【００５０】
（１４）ＬＴＥ通信処理部１３３及びＣＳ通信処理部１３４
ＬＴＥ通信処理部１３３は、通話選択部１３２の選択に従って、動作する。ＬＴＥ通信処理部１３３は、第１通信回路１１２から受け取った信号を、ＶｏＬＴＥ方式に従って、音声信号として復調し、音声信号を音声処理部１１５に対して出力する。また、ＬＴＥ通信処理部１３３は、音声処理部１１５から受け取った音声信号を、ＶｏＬＴＥ方式に従って、パケット化し、得られた信号を変調し、変調した信号を第１通信回路１１２に対して出力する。
【００５１】
ＣＳ通信処理部１３４は、通話選択部１３２の選択に従って、動作する。ＣＳ通信処理部１３４は、第２通信回路１１４から受け取った信号を、一例として、ＣＤＭＡ方式に従って、音声信号として復調し、音声信号を音声処理部１１５に対して出力する。また、ＣＳ通信処理部１３４は、音声処理部１１５から受け取った音声信号を、ＣＤＭＡ方式に従って、変調し、変調した信号を第２通信回路１１４に対してに対して出力する。
【００５２】
（１５）変更消去部１３５
変更消去部１３５は、ＬＴＥの無線基地局から、アンテナ１１１、第１通信回路１１２及びＬＴＥ通信処理部１３３を介して、定期的に、周辺セル情報を受信する。
定期的に送信されている周辺セル情報を受信した場合に、変更消去部１３５は、前回受信した内容と比較し、差分があれば、記憶している周辺セル情報を変更する。
【００５３】
受信する周辺セル情報の一例として、図４に周辺セル情報１８１を示す。
周辺セル情報１８１は、一例として、設定日時１８２及び複数の周辺セル識別子１８３、１８４、１８５、１８６、１８７、１８８を記憶するための領域を備えている。
設定日時１８２は、周辺セル情報１８１が設定された年月日及び時分を示す。各周辺セル識別子は、周辺セル情報を受信した時点において、携帯電子装置１００が位置しているＬＴＥセルの周囲に配置されているＬＴＥセルを識別するための識別情報である。
【００５４】
ここで、図４に示すように、周辺セル情報１８１は、設定日時１８２「２０１３年１１月２０日１２時１５分」、周辺セル識別子１８３「Ｃ００２」、周辺セル識別子１８４「Ｃ００３」、周辺セル識別子１８５「Ｃ００４」、周辺セル識別子１８６「Ｃ００５」、周辺セル識別子１８７「Ｃ００６」及び周辺セル識別子１８８「Ｃ００７」を含む。
周辺セル情報１８１は、２０１３年１１月２０日１２時１５分に設定され、周辺セル情報を受信した時点において、携帯電子装置１００が位置しているＬＴＥセルの周囲に、「Ｃ００２」、「Ｃ００３」、「Ｃ００４」、「Ｃ００５」、「Ｃ００６」及び「Ｃ００７」により識別されるＬＴＥセルが配置されていることを示している。
【００５５】
ＬＴＥの無線基地局から、アンテナ１１１、第１通信回路１１２及びＬＴＥ通信処理部１３３を介して、周辺セル情報を受信した場合、変更消去部１３５は、ＬＴＥ通信処理部１３３から基地局識別子及びセル識別子を取得する。ここで、基地局識別子は、携帯電子装置１００が存在するＬＴＥセルに対応する無線基地局を識別する識別情報である。また、セル識別子は、携帯電子装置１００が存在するＬＴＥセルを識別する識別情報である。
【００５６】
次に、変更消去部１３５は、セル情報記憶部１１０において、取得した基地局識別子と同一の基地局識別子を含むセル関連情報を検索する。
（ａ１）取得した基地局識別子を含むセル関連情報がセル情報記憶部１１０に存在しない場合、変更消去部１３５は、取得した基地局識別子、取得したセル識別子及び受信した周辺セル情報を含むセル関連情報を生成する。次に、変更消去部１３５は、生成したセル関連情報をセル情報記憶部１１０に追加して書き込む。
【００５７】
（ａ２）取得した基地局識別子を含むセル関連情報がセル情報記憶部１１０に存在する場合、変更消去部１３５は、取得した基地局識別子を含むセル関連情報内に、周辺セル情報が含まれているか否かを判断する。
（ａ２−１）取得した基地局識別子を含むセル関連情報内に、周辺セル情報が含まれていない場合、変更消去部１３５は、当該セル関連情報に、受信した周辺セル情報を追加して書き込む。次に、変更消去部１３５は、取得した基地局識別子を含むセル関連情報内に、切断位置情報テーブルが存在すれば、当該切断位置情報テーブルを消去する。
【００５８】
（ａ２−２）取得した基地局識別子を含むセル関連情報内に、周辺セル情報が含まれている場合、変更消去部１３５は、当該セル関連情報に含まれる周辺セル情報と、受信した周辺セル情報との新旧を比較する。新旧の比較は、それぞれの周辺セル情報に含まれる設定日時を用いる。つまり、それぞれの周辺セル情報に含まれる設定日時を比較する。
（ａ２−２−１）受信した周辺セル情報の設定日時が、セル関連情報に含まれる周辺セル情報の設定日時より古い場合、又は、同一の場合、変更消去部１３５は、何もしない。
【００５９】
（ａ２−２−２）受信した周辺セル情報の設定日時が、セル関連情報に含まれる周辺セル情報の設定日時より新しい場合、変更消去部１３５は、受信した周辺セル情報に含まれる全ての周辺セル識別子と、セル関連情報内の周辺セル情報に含まれる全ての周辺セル識別子とを比較する。
（ａ２−２−２）（ａ）受信した周辺セル情報に含まれる全ての周辺セル識別子が、セル関連情報内の周辺セル情報に含まれる全ての周辺セル識別子に完全に一致する場合、変更消去部１３５は、何もしない。
【００６０】
（ａ２−２−２）（ｂ）セル関連情報内の周辺セル情報に含まれる周辺セル識別子のうち、１個又は複数個の周辺セル情報が、受信した周辺セル情報内に含まれない場合、変更消去部１３５は、セル関連情報内の周辺セル情報に、受信した周辺セル情報を上書きする。言い換えると、セル関連情報内の周辺セル情報を、受信した周辺セル情報に置き換える。
【００６１】
（ａ２−２−２）（ｃ）受信した周辺セル情報に含まれる周辺セル識別子のうち、１個又は複数個の周辺セル情報が、セル関連情報内の周辺セル情報内に含まれない場合、変更消去部１３５は、セル関連情報内の周辺セル情報に、受信した周辺セル情報を上書きする。言い換えると、セル関連情報内の周辺セル情報を、受信した周辺セル情報に置き換える。次に、変更消去部１３５は、取得した基地局識別子を含むセル関連情報内に、切断位置情報テーブルが存在すれば、当該切断位置情報テーブルを消去する。
【００６２】
以上説明したように、周辺セル情報が更新された場合に、特に、周辺セルが追加されるように更新された場合に、切断位置情報テーブルを消去するので、サポートエリアが拡大した場合に、誤った切断位置情報が用いられることがない。
（１６）切断処理部１３６
携帯電子装置１００が移動することにより、音声通話が切断された場合、切断処理部１３６は、ＬＴＥ通信処理部１３３から、切断前に通信の相手であったＬＴＥの無線基地局を識別する基地局識別子を取得する。また、切断処理部１３６は、現在日時を取得し、位置情報取得部１０２から現在位置を示す緯度情報及び経度情報を取得する。
【００６３】
切断処理部１３６は、セル情報記憶部１１０において、取得した基地局識別子を含むセル関連情報を検索する。
取得した基地局識別子を含むセル関連情報がセル情報記憶部１１０に存在する場合、切断処理部１３６は、番号、切断日時、経度情報及び緯度情報を含む切断位置情報を生成する。次に、生成した切断位置情報をセル関連情報の切断位置情報テーブルに追加して書き込む。
【００６４】
取得した基地局識別子を含むセル関連情報がセル情報記憶部１１０に存在しない場合、切断処理部１３６は、番号、切断日時、経度情報及び緯度情報を含む切断位置情報を生成する。次に、切断位置情報を含む切断位置情報テーブルを生成する。次に、基地局識別子、セル識別子及び切断位置情報テーブルを含むセル関連情報を生成する。次に、生成したセル関連情報を、セル情報記憶部１１０に追加して書き込む。
【００６５】
以上説明したように、切断位置情報を収集して記憶することができる。
２．２  携帯電子装置１００の動作
携帯電子装置１００の動作について、説明する。
（１）携帯電子装置１００の音声通話における動作
携帯電子装置１００の音声通話における動作について、図５に示すフローチャートを用いて、説明する。
【００６６】
初期状態として、ＬＴＥ通信処理部１３３が選択され、携帯電子装置１００は、ＶｏＬＴＥ方式により、音声通話の発呼及び着呼の待ち受け状態となる。表示部１２０は、待ち受け画面を表示する（ステップＳ１０１）。
位置情報取得部１０２は、携帯電子装置１００が存在する現在位置を示す位置情報を取得する（ステップＳ１０２）。
【００６７】
表示部１２０のタッチパッド部１２０ａは、利用者による接触を検出する。ここで、その接触位置には、通話ボタンを表したアイコンが表示されているものとする。タッチパッド部１２０ａは、当該アイコンの位置を入出力制御部１１９を介して、主制御部１１８に対して出力する。主制御部１１８は、通話アプリを起動する（ステップＳ１０３）。
移動判断部１０３は、携帯電子装置１００が移動しているか否かを判断する（ステップＳ１０４）。
【００６８】
携帯電子装置１００が移動していない場合（ステップＳ１０４で「Ｎｏ」）、通話選択判断部１３１は、携帯電子装置１００が存在する現在位置が、切断頻発地の近傍を示すか否かを判断する（ステップＳ１０５）。
携帯電子装置１００が存在する現在位置が、切断頻発地の近傍を示さない場合（ステップＳ１０５で「Ｎｏ」）、通話選択部１３２は、ＬＴＥ通信処理部１３３を選択する（ステップＳ１０８）。次に、ＬＴＥ通信処理部１３３、第１通信回路１１２及びアンテナ１１１により、音声通話を開始する（ステップＳ１０９）。
【００６９】
携帯電子装置１００が存在する現在位置が、切断頻発地の近傍を示す場合（ステップＳ１０５で「Ｙｅｓ」）、通話選択部１３２は、ＣＳ通信処理部１３４を選択する（ステップＳ１０６）。次に、ＣＳ通信処理部１３４、第２通信回路１１４及びアンテナ１１３により、音声通話を開始する（ステップＳ１０７）。
音声通話が終了すると（ステップＳ１１０）、表示部１２０は、待ち受け画面を表示する（ステップＳ１１１）。このとき、現在地エリアに依存する通信処理部により待ち受ける。次に、ステップＳ１０２へ制御を移す。
【００７０】
携帯電子装置１００が移動している場合（ステップＳ１０４で「Ｙｅｓ」）、通話選択判断部１３１は、携帯電子装置１００の移動方向、一定距離以内に、切断頻発地が存在するか否かを判断する（ステップＳ１２１）。
携帯電子装置１００の移動方向、一定距離以内に、切断頻発地が存在しない場合（ステップＳ１２１で「Ｎｏ」）、通話選択部１３２は、ＬＴＥ通信処理部１３３を選択する（ステップＳ１２４）。次に、ＬＴＥ通信処理部１３３、第１通信回路１１２及びアンテナ１１１により、音声通話を開始する（ステップＳ１２５）。
【００７１】
携帯電子装置１００の移動方向、一定距離以内に、切断頻発地が存在する場合（ステップＳ１２１で「Ｙｅｓ」）、通話選択部１３２は、ＣＳ通信処理部１３４を選択する（ステップＳ１２２）。次に、ＣＳ通信処理部１３４、第２通信回路１１４及びアンテナ１１３により、音声通話を開始する（ステップＳ１２３）。
音声通話が終了すると（ステップＳ１２６）、表示部１２０は、待ち受け画面を表示する（ステップＳ１２７）。このとき、現在地エリアに依存する通信処理部により待ち受ける。次に、ステップＳ１０２へ制御を移す。
【００７２】
（２）携帯電子装置１００の音声通話中の切断時に切断位置情報を収集する動作
携帯電子装置１００の音声通話中の切断時に切断位置情報を収集する動作について、図６に示すフローチャートを用いて、説明する。
携帯電子装置１００が移動することにより、携帯電子装置１００からの受信レベルが低下し、音声通話が切断された場合（ステップＳ１６１で「Ｙｅｓ」）、切断処理部１３６は、ＬＴＥ通信処理部１３３から、切断前に通信の相手であった無線基地局を識別する基地局識別子を取得する（ステップＳ１６２）。
【００７３】
次に、切断処理部１３６は、現在日時を取得し（ステップＳ１６３）、位置情報取得部１０２から現在の緯度情報及び経度情報を取得する（ステップＳ１６４）。
次に、切断処理部１３６は、セル情報記憶部１１０において、取得した基地局識別子を含むセル関連情報を検索する（ステップＳ１６５）。
取得した基地局識別子を含むセル関連情報がセル情報記憶部１１０に存在する場合（ステップＳ１６６で「有り」）、切断処理部１３６は、番号、切断日時、経度情報及び緯度情報を含む切断位置情報を生成する（ステップＳ１６９）。次に、切断処理部１３６は、生成した切断位置情報をセル関連情報テーブルに追加して書き込む（ステップＳ１７０）。これにより、携帯電子装置１００の音声通話中の切断時の動作を終了する。
【００７４】
取得した基地局識別子を含むセル関連情報がセル情報記憶部１１０に存在しない場合（ステップＳ１６６で「無し」）、番号、切断日時、経度情報及び緯度情報を含む切断位置情報を生成する。次に、切断位置情報を含む切断位置情報テーブルを生成し、基地局識別子、セル識別子及び切断位置情報テーブルを含むセル関連情報を生成する（ステップＳ１６７）。次に、生成したセル関連情報を、セル情報記憶部１１０に追加して書き込む（ステップＳ１６８）。これにより、携帯電子装置１００の音声通話中の切断時の動作を終了する。
【００７５】
音声通話が切断されない場合（ステップＳ１６１で「Ｎｏ」）、ステップＳ１６２〜Ｓ１７０の処理は行われない。
（３）周辺セル情報の受信時の動作
周辺セル情報の受信時の動作について、図７及び図８に示すフローチャートを用いて、説明する。
【００７６】
無線基地局から、アンテナ１１１、第１通信回路１１２及びＬＴＥ通信処理部１３３を介して、周辺セル情報を受信した場合（ステップＳ２０１で「Ｙｅｓ」）、変更消去部１３５は、ＬＴＥ通信処理部１３３から、現在、無線通信の相手である無線基地局を識別する基地局識別子を取得する（ステップＳ２０２）。
次に、変更消去部１３５は、セル情報記憶部１１０において、取得した基地局識別子を含むセル関連情報を検索する（ステップＳ２０３）。
【００７７】
取得した基地局識別子を含むセル関連情報がセル情報記憶部１１０に存在しない場合（ステップＳ２０４で「無し」）、変更消去部１３５は、基地局識別子、セル識別子及び受信した周辺セル情報を含むセル関連情報を生成する（ステップＳ２０５）。次に、変更消去部１３５は、生成したセル関連情報をセル情報記憶部１１０に追加して書き込む（ステップＳ２０６）。これにより、周辺セル情報を受信した場合の処理を終了する。
【００７８】
取得した基地局識別子を含むセル関連情報がセル情報記憶部１１０に存在する場合（ステップＳ２０４で「有り」）、変更消去部１３５は、取得した基地局識別子を含むセル関連情報内に、周辺セル情報が含まれているか否かを判断する（ステップＳ２０７）。
取得した基地局識別子を含むセル関連情報内に、周辺セル情報が含まれていない場合（ステップＳ２０７で「無し」）、変更消去部１３５は、当該セル関連情報に、受信した周辺セル情報を追加して書き込む（ステップＳ２２１）。次に、変更消去部１３５は、取得した基地局識別子を含むセル関連情報内に、切断位置情報テーブルが存在すれば、当該切断位置情報テーブルを消去する（ステップＳ２２２）。これにより、周辺セル情報を受信した場合の処理を終了する。
【００７９】
取得した基地局識別子を含むセル関連情報内に、周辺セル情報が含まれている場合（ステップＳ２０７で「有り」）、変更消去部１３５は、当該セル関連情報に含まれる周辺セル情報と、受信した周辺セル情報との新旧を比較する。新旧の比較は、それぞれの周辺セル情報に含まれる設定日時を用いて行われる（ステップＳ２０８）。
受信した周辺セル情報の設定日時が、セル関連情報に含まれる周辺セル情報の設定日時より古い場合、又は、同一の場合（ステップＳ２０８で「旧又は同一」）、変更消去部１３５は、セル関連情報の更新を行うことなく、周辺セル情報を受信した場合の処理を終了する。
【００８０】
受信した周辺セル情報の設定日時が、セル関連情報に含まれる周辺セル情報の設定日時より新しい場合（ステップＳ２０８で「新」）、変更消去部１３５は、受信した周辺セル情報に含まれる全ての周辺セル識別子と、セル関連情報内の周辺セル情報に含まれる全ての周辺セル識別子とを比較する（ステップＳ２０９）。
受信した周辺セル情報に含まれる全ての周辺セル識別子が、セル関連情報内の周辺セル情報に含まれる全ての周辺セル識別子に完全に一致する場合（ステップＳ２０９で「一致」）、変更消去部１３５は、セル関連情報の更新を行わない。これにより、周辺セル情報を受信した場合の処理を終了する。
【００８１】
セル関連情報内の周辺セル情報に含まれる周辺セル識別子のうち、１個又は複数個の周辺セル情報が、受信した周辺セル情報内に含まれない場合（ステップＳ２０９で「減少」）、変更消去部１３５は、セル関連情報内の周辺セル情報に、受信した周辺セル情報を上書きする。言い換えると、セル関連情報内の周辺セル情報を、受信した周辺セル情報に置き換える（ステップＳ２３１）。これにより、周辺セル情報を受信した場合の処理を終了する。
【００８２】
受信した周辺セル情報に含まれる周辺セル識別子のうち、１個又は複数個の周辺セル情報が、セル関連情報内の周辺セル情報内に含まれない場合（ステップＳ２０９で「追加有り」）、変更消去部１３５は、セル関連情報内の周辺セル情報に、受信した周辺セル情報を上書きする。言い換えると、セル関連情報内の周辺セル情報を、受信した周辺セル情報に置き換える（ステップＳ２４１）。次に、変更消去部１３５は、取得した基地局識別子を含むセル関連情報内に、切断位置情報テーブルが存在すれば、当該切断位置情報テーブルを消去する（ステップＳ２４２）。これにより、周辺セル情報を受信した場合の処理を終了する。
【００８３】
３．その他の変形例
なお、本発明を上記の実施の形態に基づいて説明してきたが、本発明は、上記の実施の形態に限定されないのはもちろんである。以下のような場合も本発明に含まれる。
（１）上記の実施の形態において、図５のステップＳ１０５及びＳ１０６に示すように、携帯電子装置１００が存在する現在位置が、切断頻発地の近傍を示す場合、通話選択部１３２は、ＣＳ通信処理部１３４を選択する。また、図５のステップＳ１２１及びＳ１２２に示すように、携帯電子装置１００の移動方向、一定距離以内に、切断頻発地が存在する場合、通話選択部１３２は、ＣＳ通信処理部１３４を選択する。
【００８４】
しかし、このような方法には限定されない。
携帯電子装置１００が存在する現在位置が、切断頻発地の近傍を示す場合に、又は、携帯電子装置１００の移動方向、一定距離以内に、切断頻発地が存在する場合に、表示部１２０は、音声通話が切断される可能性がある旨のメッセージを表示してもよい。このとき、ボタン入力部１２１は、利用者の操作により、ＣＳ通信処理部１３４を選択するか、又は、音声通話の発呼を中止するかの選択を受け付けるとしてもよい。ボタン入力部１２１がＣＳ通信処理部１３４の選択を受け付けた場合、通話選択部１３２は、ＣＳ通信処理部１３４を選択する。ボタン入力部１２１が音声通話の発呼の中止を受け付けた場合、主制御部１１８は、音声通話を中止する。
【００８５】
（２）上記の実施の形態において、通話アプリが起動されるときに、通話選択判断部１３１は、携帯電子装置１００が存在する現在位置が、切断頻発地の近傍を示すか否かを判断している。また、通話アプリが起動されるときに、通話選択判断部１３１は、携帯電子装置１００の移動方向、一定距離以内に、切断頻発地が存在するか否かを判断している。
しかし、これには限定されない。
【００８６】
携帯電子装置１００が存在する現在位置が更新される都度、通話選択判断部１３１は、携帯電子装置１００が存在する現在位置が、切断頻発地の近傍を示すか否かを判断してもよい。また、携帯電子装置１００が存在する現在位置が更新される都度、通話選択判断部１３１は、携帯電子装置１００の移動方向、一定距離以内に、切断頻発地が存在するか否かを判断してもよい。このとき、通話選択判断部１３１は、現在位置に対応付けて、判断結果を記憶する。
【００８７】
次に、通話アプリが起動されたとき、通話選択判断部１３１は、記憶している判断結果を用いて、通信処理部を切り換えるか否かの指示を、通話選択部１３２に対して出力する。
（３）上記の実施の形態において、移動判断部１０３は、携帯電子装置１００の現在の移動速度ｖを用いて、携帯電子装置１００が移動しているか否かを判断している。しかし、これには限定されない。
【００８８】
移動判断部１０３は、携帯電子装置１００の現在位置と、１分前の携帯電子装置１００の位置とを比較してもよい。携帯電子装置１００の現在位置と、１分前の携帯電子装置１００の位置とが異なっていれば、携帯電子装置１００が移動していると判断する。なお、１分前の位置との比較には限定されない。２分前の位置と比較してもよいし、３分前の位置と比較してもよい。
【００８９】
（４）上記の実施の形態において、周辺セル情報は、セル情報記憶部１１０に記憶されているセル関連情報の内部に記憶されるとしている。しかし、これには限定されない。次に示すようにしてもよい。
（ａ）受信した周辺セル情報は、上記のように、セル情報記憶部１１０の内部に記憶される。次に、通話が正常に終了した場合、例えば、使用者が通話終了ボタンを押した場合、又は、通話相手が通話終了操作をした場合等において、変更消去部１３５は、セル情報記憶部１１０の内部に記憶された周辺セル情報を削除する、としてもよい。
【００９０】
（ｂ）携帯電子装置１００は、さらに、セル情報記憶部１１０とは別に、一時記憶部を備えているとしてもよい。この場合、周辺セル情報は、電話を送受信したタイミングで、一時記憶部に一時的に記憶される、としてもよい。通話が切断された場合に、変更消去部１３５は、一時記憶部に記憶している周辺セル情報を、セル情報記憶部１１０の内部に書き込み、一時記憶部に記憶している周辺セル情報を削除する。通話が正常終了した場合は、変更消去部１３５は、一時記憶部に記憶している周辺セル情報を削除する。
【００９１】
（ｃ）周辺セル情報に含まれる設定日時は、電話を送受信したタイミングで、上記の一時記憶部に一時的に記憶される、としてもよい。通話が切断された場合に、変更消去部１３５は、一時記憶部に記憶している設定日時を、セル情報記憶部１１０の内部に書き込み、一時記憶部に記憶している設定日時を削除する。通話が正常終了した場合は、変更消去部１３５は、一時記憶部に記憶している設定日時を削除する。
【００９２】
（５）上記の実施の形態において、位置情報取得部１０２は、複数のＧＰＳ衛星から受信した電波を用いて、携帯電子装置１００が存在する位置を示す経度情報及び緯度情報を算出する、としている。しかし、これには限定されない。
位置情報取得部１０２は、ＬＴＥ以外のデータ通信を介して位置情報を取得してもよい。ＬＴＥ以外のデータ通信として例えば、WiFiがある。通話の切断が発生した場合に、携帯電子装置１００がWiFi等のデータ通信が接続できる又はWiFi等のデータ通信に接続されているときは、位置情報取得部１０２は、位置情報をWiFiを通じて取得してもよい。なお、ＬＴＥ以外のデータ通信は、WiFiには限定されない。
【００９３】
（６）上記の実施の形態において、通話選択判断部１３１は、携帯電子装置１００が存在する現在位置を示す位置情報を用いて、携帯電子装置１００が切断頻発地の近傍にあるか否か、又は、携帯電子装置１００の移動方向、一定距離以内に、切断頻発地が存在するか否かを判断している。しかし、これには限定されない。
位置情報としての緯度情報及び経度情報を用いるのではなく、セル単位で判断してもよい。つまり、通話の切断があった場合に、そのエリアのセル番号を記憶しておくとしてもよい。通話選択判断部１３１は、現在位置がそのセル番号の範囲にあるか、若しくは、移動先にそのエリアがあるか否かを判断する。
【００９４】
要するに、位置ではなく、範囲(エリア)により、通話処理を切り替えるとしてもよい。
この場合に、セル関連情報は、図３に一例として示す切断位置情報を含まないとしてもよい。つまり、セル関連情報は、通話の切断が発生したセルを識別するセル識別子のみを含むとしてもよい。
（７）上記の各装置は、具体的には、マイクロプロセッサ、ＲＯＭ、ＲＡＭなどから構成されるコンピュータシステムである。前記ＲＡＭには、コンピュータプログラムが記憶されている。ここで、コンピュータプログラムは、所定の機能を達成するために、コンピュータに対する指令を示す命令コードが複数個組み合わされて構成されたものである。前記マイクロプロセッサが、前記コンピュータプログラムに従って動作することにより、各装置は、その機能を達成する。つまり、前記マイクロプロセッサは、前記コンピュータプログラムに含まれる各命令を１個ずつ読み出し、読み出した命令を解読し、解読結果に従って動作する。
【００９５】
前記コンピュータプログラムは、コンピュータ読み取り可能な非一時的な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（ブルーレイディスク）、半導体メモリなどに記録されているとしてもよい。
また、前記コンピュータプログラムは、電気通信回線、無線又は有線通信回線、インターネットを代表とするネットワーク、データ放送等を経由して伝送されるとしてもよい。
【００９６】
（８）上記実施の形態及び上記変形例をそれぞれ組み合わせるとしてもよい。
【産業上の利用可能性】
【００９７】
本発明にかかる携帯電子装置は、ＳＲＶＣＣ対応機能を有していない場合であっても、通話途中で、音声通話が切断されないようにすることができ、無線基地局を介して、無線により音声通話を行う技術として有用である。
【符号の説明】
【００９８】
１００    携帯電子装置
１０１    位置情報記憶部
１０２    位置情報取得部
１０３    移動判断部
１０４    速度算出部
１０５    方向算出部
１０６    通信制御部
１１０    セル情報記憶部
１１１    アンテナ
１１２    第１通信回路
１１３    アンテナ
１１４    第２通信回路
１１５    音声処理部
１１６    マイク
１１７    スピーカ
１１８    主制御部
１１９    入出力制御部
１２０    表示部
１２０ａ  タッチパッド部
１２０ｂ  表示パネル部
１２１    ボタン入力部
１３１    通話選択判断部
１３２    通話選択部
１３３    ＬＴＥ通信処理部
１３４    ＣＳ通信処理部
１３５    変更消去部
１３６    切断処理部
２０１、２０２、２０３、２０４、２０５    無線基地局
【図１】
2015104083.tif 000003
【図２】
2015104083.tif 000004
【図３】
2015104083.tif 000005
【図４】
2015104083.tif 000006
【図５】
2015104083.tif 000007
【図６】
2015104083.tif 000008
【図７】
2015104083.tif 000009
【図８】
2015104083.tif 000010